(57)【要約】【課題】１本の指による複数のタッチ操作が同時にタッチ位置検知部で検知される場合でも適切な処理を行える情報処理装置の技術を提供する。【解決手段】撮像装置(情報処理装置)１は、表示画面３３ｆを有する背面モニタ部３３と、表示画面３３ｆ上でタッチ位置を検出するタッチパネル３３２とを備え、タッチパネル３３２で検出されるタッチ位置に応じた処理を行う。このタッチパネル３３２には、左右方向に沿って配置され、タッチ時の処理内容が異なった２個のアイコンＢ４、Ｂ５が規定されている。ここで、左方向に差し伸ばされた右手ＨＤの親指Ｆｐにより２個のアイコンＢ４、Ｂ５が同時にタッチされた場合には、親指Ｆｐの指先に最も近いアイコンＢ４に限っての処理を行うようになっている。これにより、１本の指による複数のタッチ操作が同時にタッチパネル３３２で検知される場合でも適切な処理を行える。【選択図】図１２
2010134587.tif 000002
【特許請求の範囲】
【請求項１】
表示画面を有する表示部と、
前記表示画面上でタッチ位置を検出し、当該タッチ位置に応じた処理を行う処理手段と、
を備えており、
前記表示画面上には、所定方向に沿って配置されるとともに、前記処理の内容が異なった２以上の領域が規定され、
前記処理手段は、
前記所定方向に沿って差し伸ばされた１の指により前記２以上の領域のうち複数の領域が同時にタッチされた場合には、前記１の指に係る指先に最も近い１の領域に限っての処理を行う限定処理手段、
を有する情報処理装置。
【請求項２】
表示画面を有する表示部と、
前記表示画面上でタッチ位置を検出し、当該タッチ位置に応じた処理を行う処理手段と、
を備えており、
前記表示画面上には、所定方向に沿って配置されるとともに、前記処理の内容が異なった２以上の領域が規定され、
前記処理手段は、
前記所定方向に沿って差し伸ばされた１の指により前記２以上の領域のうち複数の領域が同時にタッチされた場合には、前記１の指に係る指先に最も近い１の領域に限っての処理を行う限定処理手段、
を有する撮像装置。
【請求項３】
前記表示部の下側にあって、把持に供されるグリップ部、
をさらに備えており、
前記表示画面の右端領域には、前記表示画面の上下方向に沿って前記２以上の領域が配置されている請求項２記載の撮像装置。
【請求項４】
前記表示部の右側に設けられ、把持に供されるグリップ部、
をさらに備えており、
前記表示画面の下端領域には、前記表示画面の左右方向に沿って前記２以上の領域が配置されている請求項２記載の撮像装置。
【請求項５】
前記タッチパネルの周辺には、前記２以上の領域それぞれの近傍において当該各領域に前記指を案内するためのガイド部が設けられている請求項３または請求項４に記載の撮像装置。
【請求項６】
前記ガイド部は、凹形状および／または凸形状を有して構成される請求項５記載の撮像装置。
【請求項７】
前記表示部の上方に設けられた接眼タイプのファインダ、
をさらに備えており、
前記ファインダに対しての接眼時において前記１の指に係るタッチ操作が顔面によって阻害されない前記表示画面の領域内に、前記２以上の領域が配置されている請求項２記載の撮像装置。
【発明の詳細な説明】
【技術分野】
【０００１】
本発明は、表示画面上でタッチ位置を検出し、当該タッチ位置に応じた処理を行う情報処理装置の技術に関する。
【背景技術】
【０００２】
デジタルカメラ等の撮像装置(情報処理装置)においては、ユーザの入力手段としてタッチパネル(タッチ位置検知部)をモニタに備えたものが知られている。このようなタッチパネルによれば、モニタにおいて操作ボタン等を比較的大きく表すことが可能であるとともに、指先で軽くタッチするだけで入力を行えるため、操作性も良好である。
【０００３】
例えば特許文献１に開示された撮像装置では、タッチ時の処理内容が異なる１２個のボタン(矩形領域)を３×４のマトリクス状に配列したボタン配列がタッチパネルに規定されている。
【０００４】
【特許文献１】特開２００１−５９９８４号公報
【発明の開示】
【発明が解決しようとする課題】
【０００５】
しかしながら、上記の特許文献１の撮像装置では、例えば撮像装置を把持した右手の親指の指先で上述のボタン配列をタッチ操作しようとすると、右手から遠いボタンに対しては、左方向に差し伸ばした親指が複数のボタンに覆い被さるため、親指の指先だけでなく腹の部分がボタンに接触する場合がある。このような場合には、複数のボタンに対して１本の指による複数のタッチ操作が同時にタッチパネルで検知されることとなり、ユーザの意図する処理が適切に行われない可能性がある。
【０００６】
本発明は、上記課題に鑑みてなされたものであり、１本の指による複数のタッチ操作が同時にタッチ位置検知部で検知される場合でも適切な処理を行える情報処理装置の技術を提供することを目的とする。
【課題を解決するための手段】
【０００７】
本発明の第１の側面は、情報処理装置であって、表示画面を有する表示部と、前記表示画面上でタッチ位置を検出し、当該タッチ位置に応じた処理を行う処理手段とを備えており、前記表示画面上には、所定方向に沿って配置されるとともに、前記処理の内容が異なった２以上の領域が規定され、前記処理手段は、前記所定方向に沿って差し伸ばされた１の指により前記２以上の領域のうち複数の領域が同時にタッチされた場合には、前記１の指に係る指先に最も近い１の領域に限っての処理を行う限定処理手段を有する。
【０００８】
本発明の第２の側面は、撮像装置であって、表示画面を有する表示部と、前記表示画面上でタッチ位置を検出し、当該タッチ位置に応じた処理を行う処理手段とを備えており、前記表示画面上には、所定方向に沿って配置されるとともに、前記処理の内容が異なった２以上の領域が規定され、前記処理手段は、前記所定方向に沿って差し伸ばされた１の指により前記２以上の領域のうち複数の領域が同時にタッチされた場合には、前記１の指に係る指先に最も近い１の領域に限っての処理を行う限定処理手段を有する。
【発明の効果】
【０００９】
本発明によれば、表示部の表示画面上でタッチ位置を検出し、当該タッチ位置に応じた処理を行う処理手段を備え、表示画面上において所定方向に沿って配置されるとともに処理の内容が異なった２以上の領域のうち複数の領域が、所定方向に沿って差し伸ばされた１の指により同時にタッチされた場合には、１の指に係る指先に最も近い１の領域に限っての処理を行う。その結果、１の指による複数のタッチ操作が同時にタッチ位置検知部で検知される場合でも適切な処理を行える。
【発明を実施するための最良の形態】
【００１０】
＜実施形態＞
［撮像装置の要部構成］
図１〜図３は、本発明の実施形態に係る撮像装置１の外観構成を示す図である。図１および図２は、縦位置コントロールグリップ７を装着した撮像装置１の正面外観図および背面外観図であり、図３は、撮像装置１の上面外観図である。この撮像装置１は、例えば一眼レフレックスタイプのデジタルスチルカメラとして構成された情報処理装置として機能し、カメラボディ１０と、カメラボディ１０に着脱自在な撮影レンズとしての交換レンズ２とを備えている。
【００１１】
図１において、カメラボディ１０の正面側には、正面略中央に交換レンズ２が装着されるマウント部３０１と、マウント部３０１の右横に配置されたレンズ交換ボタン３０２と、ユーザの把持に供されるグリップ部３０３と、正面右上部に配置されたモード設定ダイアル３０６と、グリップ部３０３の上面に配置されたシャッターボタン３０７および操作ダイヤル９２とが設けられている。
【００１２】
また、図２において、カメラボディ１０の背面側には、背面モニタ部３３と、背面モニタ部３３の右方に配置された十字キー３１４と、十字キー３１４の中央に配置されたプッシュボタン３１５とが備えられている。また、カメラボディ１０の背面側には、背面モニタ部３３の上方に配設された光学ファインダ３１６と、光学ファインダ３１６の周囲を囲むアイカップ３２１と、光学ファインダ３１６の左方に配設されたメインスイッチ３１７と、光学ファインダ３１６の右方に配設された露出補正ボタン３２３およびモニタ操作ボタン３２４と、光学ファインダ３１６の上方に配設されたフラッシュ部３１８および接続端子部３１９とが備えられている。
【００１３】
マウント部３０１には、装着された交換レンズ２との電気的接続を行うためコネクタＥｃ(図５参照)や、機械的接続を行うためのカプラ７５(図５参照)が設けられている。
【００１４】
レンズ交換ボタン３０２は、マウント部３０１に装着された交換レンズ２を取り外す際に押下されるボタンである。
【００１５】
グリップ部３０３は、ユーザが撮影時に撮像装置１を把持する部位として背面モニタ部３３の右側方向に設けられており、フィッティング性を高めるために指形状に合わせた表面凹凸が形成されている。なお、グリップ部３０３の内部には電池収納室およびカード収納室(不図示)が設けられている。電池収納室にはカメラの電源として電池６９Ｂ(図５参照)が収納されており、カード収納室には撮影画像の画像データを記録するためのメモリカード６７(図５参照)が着脱可能に収納されるようになっている。なお、グリップ部３０３には、当該グリップ部３０３をユーザが把持したか否かを検出するためのグリップセンサを設けるようにしても良い。
【００１６】
モード設定ダイアル３０６は、自動露出（ＡＥ）制御モードや手動露出（Ｍ）制御モード、或いは撮影シーンに応じた各種撮影モード等を択一的に選択するためのものである。
【００１７】
シャッターボタン３０７は、途中まで押し込んだ「半押し状態」の操作と、さらに押し込んだ「全押し状態」の操作とが可能とされた押下スイッチである。シャッターボタン３０７が半押しされると、被写体を撮影するための準備動作（露出制御値の設定や焦点調整等の準備動作）が実行される。そして、シャッターボタン３０７が全押しされると、撮影動作（撮像素子１０１(図５参照)を露光し、その露光によって得られた画像信号に所定の画像処理を施してメモリカード等に記録する一連の動作）が実行される。
【００１８】
操作ダイヤル９２は、回転式の操作部材であり、その回転操作に応じて各種の設定内容を変更することが可能である。すなわち、操作ダイヤル９２を操作することによれば、各種撮影モードにおける制御値を設定できる。
【００１９】
背面モニタ部３３は、光学ファインダ３１６の下方に設けられ、カラーの画像表示が可能な表示画面３３ｆとして働くＬＣＤ（Liquid Crystal Display）３３１を備えている。この背面モニタ３３は、本撮影において撮像素子１０１(図５参照)により撮像された画像の表示や記録済みの画像の再生表示等を行うとともに、撮像装置１に搭載される機能やモードの設定画面を表示するものである。なお、背面モニタ部３３は、ミラー部１０３(図５参照)をミラーアップ状態とすることで、本撮影前に撮像素子１０１(図５)で連続して撮像される被写体の画像をライブビュー画像(プレビュー画像)として表示することが可能である。また、背面モニタ部３３の外周には、「ロ」字状の形状を有したフレーム部３３０が設けられている。
【００２０】
十字キー３１４は、円周方向に一定間隔で配置された複数の押圧部（図中の三角印の部分）を備える環状の部材を有し、各押圧部に対応して備えられた図示省略の接点（スイッチ）により押圧部の押圧操作が検出されるように構成されている。また、プッシュボタン３１５は、十字キー３１４の中央に配置されている。十字キー３１４及びプッシュボタン３１５は、オートフォーカス駆動や、フォーカス検出位置の上下左右斜め方向変更、背面モニタ部３３等に再生する記録画像のコマ送り、及び撮影条件（ＩＳＯ感度、ＷＢ、フラッシュ発光の有無等）の設定等の指示を行うためのものである。
【００２１】
光学ファインダ３１６は、カメラ本体部１０の背面に設けられた接眼タイプのファインダとして構成されており、被写体が撮影される範囲を光学的に表示するものである。すなわち、光学ファインダ３１６は、交換レンズ２から導かれた被写体像を映し、これをユーザが視認することにより、実際に撮像素子１０１にて撮影される被写体を把握することができる。なお、光学ファインダ３１６の下部には、撮像装置１内に配設された液晶表示パネル(不図示)を用いて図４に示すようにシャッターボタン３０７の半押し時などにシャッタースピードの表示Ｄａや絞り値の表示Ｄｂ等の撮影情報の表示を行うインファインダ情報表示部(以下では「情報表示部」とも略称する)３１６ｐが設けられている。
【００２２】
光学ファインダ３１６の直下には、赤外光を発する発光素子１５１と受光素子１５２とを備えた接眼検知部１５が配設されている。この接眼検知部１５では、例えばＬＥＤとして構成される発光素子１５１から発せられた赤外光をユーザの眼で反射させ、その反射光を受光素子１５２で検出することにより、ユーザの眼が光学ファインダ３１６に接近していることの検知(接眼検知)を行う。
【００２３】
図２においてメインスイッチ３１７は、左右にスライドする２接点のスライドスイッチからなり、右にセットすると撮像装置１の電源がオンされ、左にセットすると電源がオフされる。
【００２４】
フラッシュ部３１８は、ポップアップ式の内蔵フラッシュとして構成されている。一方、外部フラッシュ等をカメラボディ１０に取り付ける場合には、接続端子部３１９を使用して接続する。
【００２５】
アイカップ３２１は、遮光性を有して光学ファインダ３１６への外光の侵入を抑制する「コ」字状の遮光部材である。
【００２６】
露出補正ボタン３２３は、露出値（絞り値やシャッタースピード）を手動で調整するためのボタンであり、モニタ操作ボタン３２４は、背面モニタ部３３の表示形式（詳細表示、拡大表示など）を手動で切換えたり、点灯・消灯させるためのボタンである。すなわち、モニタ操作ボタン３２４により、背面モニタ部３３の表示画面３３ｆにおいて点灯状態(表示状態)と消灯状態(非表示状態)との切替えが可能となる。
【００２７】
また、図３に示すように、カメラボディ１０の上面には、背面モニタ部３３と異なる別の表示部として現在の各種設定内容を表示する上面表示パネル９１が設けられている。
【００２８】
交換レンズ２は、被写体からの光（光像）を取り込むレンズ窓として機能するとともに、当該被写体光をカメラボディ１０の内部に配置されている撮像素子１０１に導くための撮影光学系として機能するものである。この交換レンズ２は、上述のレンズ交換ボタン３０２を押下操作することで、カメラボディ１０から取り外すことが可能となっている。
【００２９】
交換レンズ２は、その光軸に沿って直列的に配置された複数のレンズからなるレンズ群２１を備えている(図５参照)。このレンズ群２１には、焦点の調節を行うためのフォーカスレンズ２１１(図５参照)と、変倍を行うためのズームレンズ２１２(図５参照)とが含まれており、それぞれ交換レンズ２の光軸方向に駆動されることで、変倍や焦点調節が行われる。また、交換レンズ２には、その鏡胴の外周適所に該鏡胴の外周面に沿って回転可能な操作環が備えられており、上記のズームレンズ２１２は、マニュアル操作或いはオート操作により、上記操作環の回転方向及び回転量に応じて光軸方向に移動し、その移動先の位置に応じたズーム倍率(撮影倍率)に設定されるようになっている。
【００３０】
縦位置コントロールグリップ７は、撮像装置１を縦位置(縦姿勢)で使用する際にユーザによって把持されるグリップ部７０と、ロックスイッチ７１とを備えている。このグリップ部７０は、縦位置コントロールグリップ７が撮像装置１の底部に装着された際には、背面モニタ部３３の下側に配置されることとなる。
【００３１】
グリップ部７０の近くには、シャッターボタン３０７と同様の構成を有するシャッターボタン７２と、操作ダイヤル９２と同様の構成を有する操作ダイヤル７３とが設けられている。シャッターボタン７２は、撮像装置１の縦姿勢において、シャッターボタン３０７と同様の操作感で撮影開始指示等を入力することが可能である。
【００３２】
ロックスイッチ７１は、レバー式スイッチとして構成され、ロックスイッチ７１のレバー部を左方または右方に傾けることで縦位置コントロールグリップ７に関する操作のオン・オフが切替えられる。
【００３３】
［撮像装置１の電気的構成］
図５は、撮像装置１の電気的な構成を示すブロック図である。ここで、図１〜図３と同一の部材等については、同一の符号を付している。なお、交換レンズ２についてはレンズ内にオートフォーカス用の駆動部を設けたものと、カメラ本体からオートフォーカス駆動を行うものがある。ここでは、説明の便宜上、交換レンズ２は前者のタイプとし、電気的構成について先ず説明する。
【００３４】
交換レンズ２は、上述した撮影光学系を構成するレンズ群２１に加え、レンズ駆動機構２４と、レンズ位置検出部２５と、レンズ制御部２６と、絞り駆動機構２７とを備えている。
【００３５】
レンズ群２１では、フォーカスレンズ２１１及びズームレンズ２１２と、カメラボディ１０に備えられた撮像素子１０１へ入射される光量を調節するための絞り２３とが、鏡胴内において交換レンズ２の光軸方向に保持されており、被写体の光像を取り込んで撮像素子１０１に結像させる。ＡＦ制御では、フォーカスレンズ２１１が交換レンズ２内のＡＦアクチュエータ７１Ｍにより光軸方向に駆動されることで焦点調節が行われる。
【００３６】
フォーカス駆動制御部７１Ａは、レンズ制御部２６を介してメイン制御部６２から与えられるＡＦ制御信号に基づき、フォーカスレンズ２１１を合焦位置に移動させるために必要な、ＡＦアクチュエータ７１Ｍに対する駆動制御信号を生成するものである。ＡＦアクチュエータ７１Ｍは、ステッピングモータ等からなり、レンズ駆動機構２４にレンズ駆動力を与える。
【００３７】
レンズ駆動機構２４は、例えばヘリコイド及び該ヘリコイドを回転させる図示省略のギア等で構成され、ＡＦアクチュエータ７１Ｍからの駆動力を受けて、フォーカスレンズ２１１等を光軸と平行な方向に駆動させるものである。なお、フォーカスレンズ２１１の移動方向及び移動量は、それぞれＡＦアクチュエータ７１Ｍの回転方向及び回転数に従う。
【００３８】
レンズ位置検出部２５は、レンズ群２１の移動範囲内において光軸方向に複数個のコードパターンが所定ピッチで形成されたエンコード板と、このエンコード板に摺接しながらレンズと一体的に移動するエンコーダブラシとを備えており、レンズ群２１の焦点調節時の移動量を検出する。なお、レンズ位置検出部２５で検出されたレンズ位置は、例えばパルス数として出力される。
【００３９】
レンズ制御部２６は、例えば制御プログラム等を記憶するＲＯＭや状態情報に関するデータを記憶するフラッシュメモリ等のメモリが内蔵されたマイクロコンピュータからなっている。
【００４０】
また、レンズ制御部２６は、コネクタＥｃを介してカメラボディ１０のメイン制御部６２との間で通信を行う通信機能を有している。これにより、例えばレンズ群２１の焦点距離、射出瞳位置、絞り値、合焦距離及び周辺光量状態等の状態情報データや、レンズ位置検出部２５で検出されるフォーカスレンズ２１１の位置情報をメイン制御部６２に送信できるとともに、メイン制御部６２から例えばフォーカスレンズ２１１の駆動量のデータを受信できる。
【００４１】
絞り駆動機構２７は、カプラ７５を介して絞り駆動アクチュエータ７６Ｍからの駆動力を受けて、絞り２３の絞り径を変更するものである。
【００４２】
続いて、カメラボディ１０の電気的構成について説明する。カメラボディ１０は、撮像素子１０１、シャッタユニット４０、ＡＦＥ（アナログフロントエンド）５、画像処理部６１、画像メモリ６１４、メイン制御部６２、フラッシュ回路６３、操作部６４、ＶＲＡＭ６５、カード・インターフェース（Ｉ／Ｆ）６６、メモリカード６７および通信用インターフェース（Ｉ／Ｆ）６８を備えて構成されている。また、カメラボディ１０は、電源回路６９、電池６９Ｂ、ミラー駆動制御部７２Ａ及びミラー駆動アクチュエータ７２Ｍ、シャッタ駆動制御部７３Ａ及びシャッタ駆動アクチュエータ７３Ｍ、絞り駆動制御部７６Ａ及び絞り駆動アクチュエータ７６Ｍ、および姿勢検知部３４を備えている。
【００４３】
撮像素子１０１は、カメラボディ１０に交換レンズ２が装着された場合の当該交換レンズ２が備えているレンズ群２１の光軸上において、光軸に対して垂直となる方向に配置されている。撮像素子１０１としては、例えばフォトダイオードを有して構成される複数の画素がマトリクス状に２次元配置されたＣＭＯＳカラーエリアセンサ（ＣＭＯＳ型の撮像素子）が用いられる。撮像素子１０１は、交換レンズ２を通って受光された被写体光束に関するＲ（赤）、Ｇ（緑）、Ｂ（青）各色成分のアナログの電気信号（画像信号）を生成し、Ｒ、Ｇ、Ｂ各色の画像信号として出力する。
【００４４】
撮像素子１０１は、後述のタイミング制御回路５１により、当該撮像素子１０１の露光動作の開始（及び終了）や、撮像素子１０１が備える各画素の出力選択、画素信号の読出し等の撮像動作が制御される。
【００４５】
撮像素子１０１の光軸方向前方には、シャッタユニット４０が配置されている。このシャッタユニット４０は、上下方向に移動する幕体を備え、その開動作および閉動作により交換レンズ２の光軸に沿って撮像素子１０１に導かれる被写体光の光路開口動作および光路遮断動作を行うメカニカルフォーカルプレーンシャッタとして構成されている。なお、シャッタユニット４０は、撮像素子１０１が完全電子シャッター可能な撮像素子である場合には省略可能である。
【００４６】
ＡＦＥ５は、撮像素子１０１に対して所定の動作を行わせるタイミングパルスを与えると共に、撮像素子１０１から出力される画像信号（ＣＭＯＳエリアセンサの各画素で受光されたアナログ信号群）に所定の信号処理を施し、デジタル信号に変換して画像処理部６１に出力するものである。このＡＦＥ５は、タイミング制御回路５１、信号処理部５２及びＡ／Ｄ変換部５３などを備えて構成されている。
【００４７】
タイミング制御回路５１は、メイン制御部６２から出力される基準クロックに基づいて所定のタイミングパルス（垂直走査パルスφＶｎ、水平走査パルスφＶｍ、リセット信号φＶｒ等を発生させるパルス）を生成して撮像素子１０１に出力し、撮像素子１０１の撮像動作を制御する。また、所定のタイミングパルスを信号処理部５２やＡ／Ｄ変換部５３にそれぞれ出力することにより、信号処理部５２及びＡ／Ｄ変換部５３の動作を制御する。
【００４８】
信号処理部５２は、撮像素子１０１から出力されるアナログの画像信号に所定のアナログ信号処理を施すものである。この信号処理部５２には、ＣＤＳ（相関二重サンプリング）回路、ＡＧＣ（オートゲインコントロール）回路及びクランプ回路等が備えられている。Ａ／Ｄ変換部５３は、信号処理部５２から出力されたアナログのＲ、Ｇ、Ｂの画像信号を、タイミング制御回路５１から出力されるタイミングパルスに基づいて、複数のビット（例えば１２ビット）からなるデジタルの画像信号に変換するものである。
【００４９】
画像処理部６１は、ＡＦＥ５から出力される画像データに所定の信号処理を行って画像ファイルを作成するもので、黒レベル補正回路６１１、ホワイトバランス制御回路６１２及びガンマ補正回路６１３等を備えて構成されている。なお、画像処理部６１へ取り込まれた画像データは、撮像素子１０１の読み出しに同期して画像メモリ６１４に一旦書き込まれ、以後この画像メモリ６１４に書き込まれた画像データにアクセスして、画像処理部６１の各ブロックにおいて処理が行われる。
【００５０】
黒レベル補正回路６１１は、Ａ／Ｄ変換部５３によりＡ／Ｄ変換されたＲ、Ｇ、Ｂの各デジタル画像信号の黒レベルを、基準の黒レベルに補正するものである。
【００５１】
ホワイトバランス補正回路６１２は、光源に応じた白の基準に基づいて、Ｒ(赤)、Ｇ(緑)、Ｂ(青)の各色成分のデジタル信号のレベル変換（ホワイトバランス(ＷＢ)調整）を行うものである。すなわちホワイトバランス制御回路６１２は、メイン制御部６２から与えられるＷＢ調整データに基づき、撮影被写体において輝度や彩度データ等から本来白色であると推定される部分を特定し、その部分のＲ、Ｇ、Ｂそれぞれを色成分の平均と、Ｇ／Ｒ比及びＧ／Ｂ比とを求め、これをＲ、Ｂの補正ゲインとしてレベル補正する。
【００５２】
ガンマ補正回路６１３は、ＷＢ調整された画像データの階調特性を補正するものである。具体的にはガンマ補正回路６１３は、画像データのレベルを色成分毎に予め設定されたガンマ補正用テーブルを用いて非線形変換するとともにオフセット調整を行う。
【００５３】
画像メモリ６１４は、撮影モード時において、画像処理部６１から出力される画像データを一時的に記憶するとともに、この画像データに対しメイン制御部６２により所定の処理を行うための作業領域として用いられるメモリである。また、再生モード時には、メモリカード６７から読み出した画像データを一時的に記憶する。
【００５４】
メイン制御部６２は、例えば制御プログラムを記憶するＲＯＭや一時的にデータを記憶するＲＡＭ等の記憶部が内蔵されたマイクロコンピュータからなり、撮像装置１各部の動作を制御するものである。
【００５５】
また、メイン制御部６２は、背面モニタ部３３の表示画面３３ｆにおいて指Ｆｐによるタッチ位置をタッチパネル３３２を用いて検出し、このタッチ位置に応じた処理を行う処理手段として機能する。
【００５６】
フラッシュ回路６３は、フラッシュ撮影モードにおいて、フラッシュ部３１８または接続端子部３１９に接続される外部フラッシュの発光量を、メイン制御部６２により設定された発光量に制御するものである。
【００５７】
操作部６４は、上述のモード設定ダイアル３０６、シャッターボタン３０７、十字キー３１４、プッシュボタン３１５、メインスイッチ３１７等を含み、操作情報をメイン制御部６２に入力するためのものである。
【００５８】
背面モニタ部３３は、上述したＬＣＤ３３１と、このＬＣＤ３３１上に配置される透明なタッチパネル３３２とを備えている。
【００５９】
ＬＣＤ３３１は、モニタ操作ボタン３２４の操作などによって電源のオン・オフを切替えることで、表示(点灯)または非表示(消灯)を切替えることができる。
【００６０】
タッチパネル３３２は、背面モニタ部１２の表示画面３３ｆ上においてユーザがタッチしたタッチ位置を検知するタッチ位置検知部として機能し、ユーザの操作入力を受け付けることが可能である。
【００６１】
このような構成の背面モニタ部３３では、接眼検知部１５においてユーザの接眼が検知されると、表示画面３３ｆの眩しさ防止と省電力のため背面モニタ部３３の表示が消灯される。ただし、この背面モニタ部３３の消灯時でも、タッチパネル３３２については、後述のように一部のタッチボタン(図６のアイコンＢ１〜Ｂ５)をアクティブ(オン状態)にしたままで他のタッチボタン(図６の追尾用ＡＦフレームＢｐ)がオフ状態とされる。
【００６２】
ＶＲＡＭ６５は、ＬＣＤ３３１の画素数に対応した画像信号の記憶容量を有し、メイン制御部６２とＬＣＤ３３１との間のバッファメモリである。カードＩ／Ｆ６６は、メモリカード６７とメイン制御部６２との間で信号の送受信を可能とするためのインターフェースである。メモリカード６７は、メイン制御部６２で生成された画像データを保存する記録媒体である。通信用Ｉ／Ｆ６８は、パーソナルコンピュータやその他の外部機器に対する画像データ等の伝送を可能とするためのインターフェースである。
【００６３】
電源回路６９は、例えば定電圧回路等からなり、メイン制御部６２等の制御部、撮像素子１０１、その他の各種駆動部等、撮像装置１全体を駆動させるための電圧を生成する。なお、撮像素子１０１への通電制御は、メイン制御部６２から電源回路６９に与えられる制御信号により行われる。電池６９Ｂは、ニッケル水素充電池等の二次電池や、アルカリ乾電池等の一次電池からなり、撮像装置１全体に電力を供給する電源である。
【００６４】
ミラー駆動制御部７２Ａは、撮影動作のタイミングに合わせて、ミラー駆動アクチュエータ７２Ｍを駆動させる駆動信号を生成するものである。ミラー駆動アクチュエータ７２Ｍは、ミラー部１０３（クイックリターンミラー）を、水平姿勢若しくは傾斜姿勢に回動させるアクチュエータである。
【００６５】
シャッタ駆動制御部７３Ａは、メイン制御部６２から与えられる制御信号に基づき、シャッタ駆動アクチュエータ７３Ｍに対する駆動制御信号を生成するものである。シャッタ駆動アクチュエータ７３Ｍは、シャッタユニット４０の開閉駆動を行うアクチュエータである。
【００６６】
絞り駆動制御部７６Ａは、メイン制御部６２から与えられる制御信号に基づき、絞り駆動アクチュエータ７６Ｍに対する駆動制御信号を生成するものである。絞り駆動アクチュエータ７６Ｍは、カプラ７５を介して絞り駆動機構２７に駆動力を与える。
【００６７】
姿勢検知部３４は、例えばカメラボディ１０の内部に設けられたジャイロセンサ（不図示）により、撮像装置１の姿勢検知、具体的には撮像装置１が横姿勢(標準姿勢)であるか縦姿勢であるかの検知を行う。なお、縦姿勢の検知では、グリップ部３０３が上側に位置するか下側に位置するかを判別できる。
【００６８】
[背面モニタ部３３の要部構成]
撮像装置１は、上述のように光学ファインダ３１６の下に設けられた接眼検知部１５を備え、この接眼検知部１５で光学ファインダ３１６に対してのユーザの接眼を検知すると表示画面３３ｆの眩しさ防止と省電力のため背面モニタ部３３が消灯される。この消灯の際には、ＬＣＤ３３１が非表示状態とされるものの、タッチパネル３３２全面を不能化せず一部の領域をアクティブ状態のまま維持するようになっている。この維持されるタッチパネル３３２の領域について、以下で詳しく説明する。
【００６９】
図６は、撮像装置１におけるタッチパネル３３２の動作を説明するための図である。ここで、図６(ａ)は、接眼検知部１５での接眼が検知されず背面モニタ部３３が点灯している状態を示しており、図６(ｂ)は、接眼が検知されて背面モニタ部３３が消灯している状態を示している。
【００７０】
図６(ａ)に示すように、接眼が検知されない場合にはタッチパネル３３２上に配置された複数のボタンからなるボタン群ＢＧがＬＣＤ３３１に表示される。このボタン群ＢＧは、例えばライブビュー画像において追尾する合焦対象の人物(の顔)などを指定するための４つの追尾用ＡＦフレーム(ボタン)Ｂｐを備えている。また、ボタン群ＢＧは、タッチパネル３３２の右側部分から下側部分にかけて連なったＬ字状の領域(以下では「Ｌ字状領域」とも称する)Ｅｔに配置される５つのアイコン(ボタン)Ｂ１〜Ｂ５を備えている。すなわち、表示画面３３ｆの右半分、つまり表示画面３３ｆの中心線３３ｃより右側の領域には、右端領域(例えば表示画面３３ｆに対して右端から１／６程度の領域)と下端領域(例えば表示画面３３ｆに対して下端から１／３程度の領域)とからなる屈曲領域としてのＬ字状領域Ｅｔが規定されている。そして、このＬ字状領域Ｅｔ内に、タッチ操作時の処理(以下では「タッチ処理」とも略称する)の内容が異なった５つの円形領域として構成されたアイコンＢ１〜Ｂ５が配置されている。ここで、４つのアイコンＢ１〜Ｂ４は、表示画面３３ｆの上下方向Ｊａに沿って配置されたアイコン配列として規定されるとともに、２つのアイコンＢ４〜Ｂ５は、表示画面３３ｆの左右方向Ｊｂに沿って配置されたアイコン配列として規定される。
【００７１】
５つのアイコンＢ１〜Ｂ５は、例えばＩＳＯ感度設定モード、ホワイトバランス(ＷＢ)設定モード、連写や単写などを設定するドライブモード、露出補正モードおよび、フラッシュ部３１８に係る発光の有無を設定するモードに移行させる各アイコンで構成されている。
【００７２】
これらのアイコンＢ１〜Ｂ５は、上述のようにタッチパネル３３２におけるＬ字状の領域Ｅｔ内に配置されているが、これは次の理由による。
【００７３】
図７および図８は、タッチパネル３３２においてアイコンＢ１〜Ｂ５をＬ字状領域Ｅｔ内に配置する理由を説明するための図である。ここで、図７および図８は、ユーザが横姿勢(標準姿勢)で把持した撮像装置１の光学ファインダ３１６に右目Ｅｙを接眼させる際の上面図および背面図を示している。なお、ユーザの頭部ＨＡや右手ＨＤは、破線で示している。
【００７４】
図７に示すように右目Ｅｙを光学ファインダ３１６に接眼させた際には、鼻Ｎｓが背面モニタ部３３に接近してタッチパネル３３２に接触する可能性がある。一方、顔面ＦＣの頬と背面モニタ部３３との間には隙間Ｇｐが形成され、この隙間Ｇｐに親指Ｆｐを潜り込ませることができる。
【００７５】
よって、撮像装置１においては、光学ファインダ３１６の接眼検知部１５でユーザの接眼を検知した場合、タッチパネル３３２において鼻Ｎｓがタッチする恐れのある領域（上述したＬ字状領域Ｅｔ以外の領域）内に配置された追尾用ＡＦフレームＢｐ(図６)に対してのタッチ操作を不許可状態に移行する。一方、顔面ＦＣと背面モニタ部３３との隙間Ｇｐで親指Ｆｐの先が到達できるタッチパネル３１６上の領域であって顔面ＦＣにより親指Ｆｐのタッチ操作が阻害されない領域であるＬ字状領域Ｅｔ(図６)内のアイコンＢ１〜Ｂ５に対してのタッチ操作を許可状態のまま維持することとする。すなわち、光学ファインダ３１６に対しての接眼時には、背面モニタ部３３の表示画面３３ｆが非表示状態とされるが、親指Ｆｐに係るタッチ操作が顔面ＦＣによって阻害されない表示画面３３ｆの領域に相当したタッチパネル３３２のＬ字状領域Ｅｔで検出されるタッチ操作に限っての処理が撮像装置１で行われる。
【００７６】
また、光学ファインダ３１６を覗いて接眼検知部１５で接眼が検知された場合には、ユーザが背面モニタ部３３を直接視認できなくなるため、背面モニタ部３３が消灯される。これにより、図６(ｂ)に示すように操作許可状態のアイコンＢ１〜Ｂ５が表示されなくなり、アイコンＢ１〜Ｂ５に対するタッチ操作を行いたい場合には手探りでの操作となる。これでは、アイコンＢ１〜Ｂ５に対するタッチ操作において誤操作が生じる可能性が高いため、本実施形態の撮像装置１ではアイコンＢ１〜Ｂ５に対してのブラインドタッチの操作を可能とするようにフレーム部３３０にガイド部ＣＶを設けることとする。これにより、ユーザが指先から手前の親指Ｆｐの部分でガイド部ＣＶに触れることで、消灯された表示画面３３ｆにおいてもアイコンＢ１〜Ｂ５の位置把握が可能となる。
【００７７】
すなわち、タッチパネル３３２におけるＬ字状領域Ｅｔ近傍のフレーム部３３０にＬ字状領域Ｅｆを規定し、このＬ字状領域Ｅｆ内で各アイコンＢ１〜Ｂ５に近接する箇所に、凹形状および／または凸形状を有して構成される６つのガイド部ＣＶ(ＣＶａ〜ＣＶｆ)を形成する。換言すれば、タッチパネル３３２周辺のフレーム部３３０には、アイコンＢ１〜Ｂ５それぞれの近傍において当該各アイコンＢ１〜Ｂ５にユーザの指を案内するためのガイド部ＣＶが設けられることとなる。例えばガイド部ＣＶの縦断面図を示す図９(ａ)〜(ｆ)のように互いに凹凸形状が異なる各ガイド部ＣＶａ〜ＣＶｆが、フレーム部３３０に設けられる。これにより、右手ＨＤの親指Ｆｐによって各ガイド部ＣＶａ〜ＣＶｆの判別が可能となり、ユーザが所望する各アイコンＢ１〜Ｂ５に対してスムーズなブラインドタッチの操作が可能となる。
【００７８】
このようなガイド部ＣＶにより、接眼検知部１５で接眼を検知して背面モニタ部３３が消灯された場合でも、例えば図１０〜１１のように右手ＨＤで把持された横姿勢の撮像装置１において親指Ｆｐでガイド部ＣＶａ、ＣＶｄを判別して、アイコンＢ１やアイコンＢ４を適切にタッチ操作できる。
【００７９】
ただし、図１２のように親指Ｆｐでガイド部ＣＶｄを判別してアイコンＢ５のタッチ操作を行う場合には、親指Ｆｐの腹で覆われるアイコンＢ４も同時に接触してしまう。この場合には、撮像装置１が横姿勢であるとの検出結果を姿勢検出部３４から受け取ったメイン制御部６２が、グリップ部３０３を把持する右手ＨＤの親指Ｆｐが左方向に伸びているものと推定する。そして、メイン制御部６２は、親指Ｆｐの先端側のアイコン、つまりタッチパネル３３２の中央に近い方のアイコンを特定し、そのアイコンＢ５のユーザ操作のみを許可する一方、それ以外のアイコンＢ４の操作を不許可とする制御を行う。すなわち、表示画面３３ｆの下端領域には、表示画面３３の左右方向Ｊｂ(図６)に沿って２つのアイコンＢ４、Ｂ５が配置されるが、これらのアイコンＢ４、Ｂ５が左右方向Ｊｂに沿って差し伸ばされた親指Ｆｐにより同時にタッチされた場合には、親指Ｆｐの指先に最も近いアイコンＢ４に限ってのタッチ処理がメイン制御部６２で行われる。これにより、１本の親指Ｆｐにより同時に複数のアイコンがタッチ操作されても、ユーザが意図するアイコンに対しての適切な処理(動作)を行える。
【００８０】
一方、例えば図１３のように縦位置コントロールグリップ７を装着した縦姿勢の撮像装置１において接眼検知により背面モニタ部３３が消灯された場合には、縦位置コントロールグリップ７を把持した右手ＨＤの親指Ｆｐでガイド部ＣＶｅを判別して、アイコンＢ４を適切に操作できる。このような縦姿勢の撮像装置１における光学ファインダ３１６に対しての接眼時でも、タッチパネル３３２のＬ字状領域Ｅｔは、ユーザの親指Ｆｐに係るタッチ操作が顔面ＦＣによって阻害されない表示画面３３ｆの領域として構成されている。
【００８１】
また、縦姿勢の撮像装置１においてアイコンＢ１〜Ｂ５を操作する際にも、図１４のように親指Ｆｐでガイド部ＣＶｅを判別してアイコンＢ２のタッチ操作を行う場合には、親指Ｆｐの腹で覆われるアイコンＢ３、Ｂ４も同時に接触してしまう。この場合には、撮像装置１が縦姿勢であるとの検出結果を姿勢検出部３４から受け取ったメイン制御部６２が、縦位置コントロールグリップ７のグリップ部７０を把持する右手ＨＤの親指Ｆｐが差し伸ばされているものと推定する。そして、メイン制御部６２は、親指Ｆｐの先端側のアイコン、つまり光学ファインダ３１６に最も近い方のアイコンを特定し、そのアイコンＢ２のユーザ操作のみを許可する一方、それ以外のアイコンＢ３、Ｂ４の操作を不許可とする制御を行う。すなわち、表示画面３３ｆの右端領域には、表示画面３３の上下方向Ｊａ（図６）に沿って４つのアイコンＢ１〜Ｂ４が配置されるが、これらのうち３つのアイコンＢ２〜Ｂ４が上下方向Ｊａに沿って差し伸ばされた親指Ｆｐにより同時にタッチされた場合には、親指Ｆｐの指先に最も近いアイコンＢ２に限ってのタッチ処理がメイン制御部６２で行われる。ここで、撮像装置１の姿勢が上側にグリップ部３０３のある縦姿勢であることを姿勢検知部３４で検知することにより、メイン制御部６２では、同時にタッチされている３つのアイコンＢ２〜Ｂ４のうち親指Ｆｐの指先に最も近いもの、つまり光学ファインダ３１６に最も近いものがアイコンＢ４でなくアイコンＢ２であることを認識する。
【００８２】
接眼検知部１５での接眼検知時に例えばＩＳＯ感度設定モードが割付けられたアイコンＢ１に対するユーザ操作が行われると、光学ファインダ３１６の情報表示部３１６ｐにおいて、図１５に示すＩＳＯ感度の表示Ｄｃのように現在設定されているＩＳＯ感度の設定値「４００」が表示される。なお、このＩＳＯ感度の設定値を変更するには、操作ダイアル９２、７３や十字キー３１４を操作することで行える。ここで、例えばアイコンＢ１からアイコンＢ２に指先をスライドさせると、情報表示部３１６ｐでアイコンＢ２に割付けられた項目(ＷＢ設定モード)の設定状態の表示に切り替えられることとなる。
【００８３】
また、本実施形態の撮像装置１では、モニタ操作ボタン３２４への操作によって背面モニタ部３３を消灯できるが、この際にもタッチパネル３３２のＬ字状領域Ｅｔ内におけるアイコンＢ１〜Ｂ５についての操作許可状態に維持するようにする。すなわち、背面モニタ部３３の表示画面３３ｆが非表示状態でも、タッチパネル３３２のＬ字状領域Ｅｔで検出されるタッチ位置、つまりアイコンＢ１〜Ｂ５に応じた処理が撮像装置１で行われる。この場合にも、上述のようにフレーム部３３０のガイド部ＣＶを頼りに所望のアイコンＢ１〜Ｂ５に対するタッチ操作が可能であり、そのアイコンに割付けられた項目における現在の設定値などが上面表示パネル９１に表示される。換言すれば、表示画面３３ｆが非表示状態の場合には、タッチパネル３３２のＬ字状領域Ｅｔで検出されるタッチ位置に応じた処理に関連した表示が上面表示パネル９１で行われる。これにより、ユーザが光学ファインダ３１６を覗かず背面モニタ部３３を消灯しながら撮影動作を行う夜景撮影や舞台撮影などにおいても、ガイド部ＣＶによってアイコンＢ１〜Ｂ５に対するスムーズなユーザ操作が可能となり、その操作確認が上面表示パネル９１で行える。
【００８４】
以上のような撮像装置１の構成および動作により、タッチパネル３３２に設定されたアイコンＢ１〜Ｂ５がＬ字状領域Ｅｔ(図６)に配置されるため、光学ファインダ３１６に対しての接眼時に顔面ＦＣとタッチパネル３３２との間に生じる隙間Ｇｐに滑り込ませた指ＦｐによるアイコンＢ１〜Ｂ５のタッチ操作が可能となり、接眼時にタッチパネル３３２の有効活用が図れる。
【００８５】
また、上述のような撮像装置１の構成および動作により、Ｌ字状領域Ｅｔに配置される５つのアイコンＢ１〜Ｂ５において複数のアイコンに対する親指Ｆｐのタッチ操作がタッチパネル３３２で同時に検知された場合には、親指Ｆｐの指先に最も近いアイコンのタッチ操作のみ受け付ける。その結果、１本の指による複数のタッチ操作が同時に検知される場合でも適切なタッチ処理が可能となる。
【００８６】
なお、撮像装置１においては、縦姿勢で使用する際に縦位置コントロールグリップ７を装着するのは必須でなく、縦位置コントロールグリップ７を装着せずに縦姿勢で使用しても良い。このような縦姿勢での撮像装置１の使用時でも、上述のようにタッチパネル３３２の５つのアイコンＢ１〜Ｂ５において複数のアイコンに指が同時に接触してしまうケースがある。
【００８７】
例えば、図１６や図１７のように右手ＨＤの親指ＦｐでアイコンＢ１やアイコンＢ２のタッチ操作を行う場合には、他のアイコンＢ３、Ｂ５に接触してしまう。この場合には、上述のようにメイン制御部６２で親指Ｆｐの先端側のアイコン、つまり光学ファインダ３１６に最も近いアイコンを特定し、そのアイコンＢ１(図１６)やアイコンＢ２(図１７)のユーザ操作のみを許可するようにする。
【００８８】
また、図１８や図１９のように左手ＨＮの親指ＦｐでアイコンＢ１やアイコンＢ２のタッチ操作を行う場合には、他のアイコンＢ３に接触してしまう。この場合にも、メイン制御部６２で親指Ｆｐの先端側のアイコン、つまり光学ファインダ３１６に最も近いアイコンを特定し、そのアイコンＢ１(図１８)やアイコンＢ２(図１９)のユーザ操作のみを許可する。なお、図１８や図１９のように左手ＨＮの親指Ｆｐを用いてタッチ操作する場合と、図１６や図１７のように右手ＨＤの親指Ｆｐを用いてタッチ操作する場合とでは、同じ撮像装置１の縦姿勢でも親指Ｆｐの指先側のアイコンの位置関係が逆になる。これに対しては、姿勢検知部３４でグリップ部３０３が上側か下側かの検出を行うことにより、メイン制御部６２で撮像装置１を把持する手が右手ＨＤか左手ＨＮかを推定し、その手の親指Ｆｐでタッチ操作されているものと判断して、指先側のアイコンを特定する。
【００８９】
また、撮像装置１の接眼ファインダについては、その下部に情報表示部３１６ｐが設けられた光学ファインダ３１６(図４)を採用するのは必須でなく、図２０に示す光学ファインダ３１６Ａや図２１に示す電子ビューファインダ３１６Ｂを採用しても良い。これらのファインダにおけるアイコンＢ１〜Ｂ５に対してのタッチ操作に応答した表示動作を以下で説明する。
【００９０】
図２０は、アイコンＢ１〜Ｂ５に対するタッチ操作に応答した光学ファインダ３１６Ａの表示動作を説明するための図である。
【００９１】
光学ファインダ３１６Ａは、ファインダ光路中に設けられた液晶表示パネル(不図示)により被写体像が映る領域を含んだ全面に情報表示が可能な情報表示部３１６ｑを備えている。なお、光学ファインダ３１６Ａにおける上記の液晶表示パネルでは、後述の電子ビューファインダ３１６Ｂのような画像表示能力を有していない。
【００９２】
このような光学ファインダ３１６Ａでは、接眼検知部１５での接眼検知時にタッチパネル３３２のアイコンＢ１〜Ｂ５に対してタッチ操作が行われると、上述した光学ファインダ３１６と同様に光学ファインダ３１６Ａの情報表示部３１６ｑでの表示切替えが行われる。例えばＩＳＯ感度設定モードが割付けられたアイコンＢ１に対してのタッチ操作が行われると、情報表示部３１６ｑで、接眼検知前におけるシャッタースピードの表示Ｄａや絞り値の表示Ｄｂ(図２０(ａ))から、図２０(ｂ)に示すＩＳＯ感度の表示Ｄｃに表示が切替えられる。さらに、光学ファインダ３１６Ａでは、情報表示部３１６ｑにおいて接眼検知前には非表示状態としていたアイコンＢ１〜Ｂ５(図２０(ａ))を、接眼検知に応答して図２０(ｂ)に示すように表示させる。これにより、接眼時でもタッチパネル３３２のアイコンＢ１〜Ｂ５が有効であることをユーザに伝えることができる。なお、情報表示部３１６ｑにおいては、接眼検知に応答して５つのアイコンＢ１〜Ｂ５全てを表示させるのは必須でなく、ユーザによって操作された１つのアイコンのみを表示させるようにしても良い。
【００９３】
図２１は、アイコンＢ１〜Ｂ５に対するタッチ操作に応答した電子ビューファインダ３１６Ｂの表示動作を説明するための図である。
【００９４】
電子ビューファインダ３１６Ｂは、例えば撮像素子１０１で取得された被写体画像を液晶表示パネルに表示することで被写体像をユーザに視認させるファインダとして構成されている。
【００９５】
このような電子ビューファインダ３１６Ｂでは、接眼検知部１５での接眼検知時にタッチパネル３３２のアイコンＢ１〜Ｂ５に対してタッチ操作が行われると、上記の光学ファインダ３１６Ａと同様に、電子ビューファインダ３１６Ｂでの表示切替えが行われる。例えばＩＳＯ感度設定モードが割付けられたアイコンＢ１に対してのタッチ操作が行われると、電子ビューファインダ３１６Ｂで、接眼検知前におけるシャッタースピードの表示Ｄａ、絞り値の表示ＤｂおよびＩＳＯ感度の表示(現在設定されている「１００」の表示)Ｄｃ１((図２１(ａ))から、図２１(ｂ)に示すＩＳＯ感度の表示（設定変更された「４００」の表示）Ｄｃ２のみに表示が切替えられる。なお、このＩＳＯ感度の表示Ｄｃ２では、接眼検知前の表示Ｄｃ１に対して表示色を変更するようにしても良い。そして、電子ビューファインダ３１６Ｂでは、上記の光学ファインダ３１６Ａと同様に、接眼検知前には非表示状態としていたアイコンＢ１〜Ｂ５(図２１(ａ))を、接眼検知に応答して図２１(ｂ)に示すように表示させる。
【００９６】
以上のような光学ファインダ３１６Ａや電子ビューファインダ３１６Ｂにおいても、上述した光学ファインダ３１６と同様に、ユーザによってタッチ操作が行われたアイコンＢ１〜Ｂ５についての操作確認が可能となる。
【００９７】
また、図２２に示すように撮像装置１に例えばビデオケーブルやＨＤＭＩケーブルなどのケーブルＷｅを介して外部モニタ９０が通信可能に接続し、撮像装置１で撮影された画像の再生等が外部モニタ９０で可能な場合にも、ガイド部ＣＶによってアイコンＢ１〜Ｂ５に対する適切なユーザ操作を行えることとなる。具体的には、外部モニタ９０が撮像装置１に接続されると省電力のため背面モニタ部３３が消灯されるが、図２２のように外部モニタ９０の表示画面９０ｆにタッチパネル３３２のアイコンＢ１〜Ｂ５を表示する。そして、アイコンＢ１〜Ｂ５に対するブラインドタッチの操作確認として外部モニタ９０に例えばＩＳＯ感度の表示Ｄｃ２を行うことで、アイコンＢ１〜Ｂ５に対してスムーズなユーザ操作が可能となる。
【００９８】
＜変形例＞
・上記の実施形態における各ガイド部については、図９(ａ)〜(ｆ)のように形状を変化させて区別するのは必須でなく、ザラツキ具合いなどの表面状態を変化させて区別するようにしても良い。
【００９９】
・上記の実施形態における撮像装置については、上面表示パネル９１を備えた構成であるのは必須でなく、上面表示パネルを備えない構成でも良い。この場合には、例えばモニタ操作ボタン３２４による背面モニタ部３３の消灯中にアイコンＢ１〜Ｂ５に対してのタッチ操作がタッチパネル３３２で検出されると、背面モニタ部３３を点灯させて、操作されたアイコンに関する設定状態を表示させるようにする。すなわち、背面モニタ部３３の表示画面３３ｆが非表示状態の場合には、タッチパネル３３２のＬ字状領域Ｅｔにおけるタッチ位置、つまりアイコンＢ１〜Ｂ５の検出に応答して、表示画面３３ｆを表示状態に切替える。これにより、上面表示パネルを備えない場合でも、アイコンＢ１〜Ｂ５に対しての操作確認が可能となる。
【０１００】
・上記の実施形態においては、デジタルカメラとして構成されるのは必須でなく、銀塩カメラ(フィルムカメラ)として構成されても良い。
【０１０１】
また、上記の実施形態においては、撮像装置として構成されるのは必須でなく、タッチパネル付きのモニタを備えたＰＤＡや携帯端末などの情報処理装置(電子機器)として構成されても良い。このような場合でも、１本の指による複数のタッチ操作が検出された際には、指先側のタッチ操作を特定し、その操作のみを受け付けることにより、適切なタッチ処理が可能となる。
【０１０２】
・上記の実施形態においては、タッチパネルを用いてタッチ位置の検出を行うのは必須でなく、例えば表示画面上に格子状に張り巡らされる赤外線などの光線や、表示画面上を走査する光線が遮られた箇所を検知することによりタッチ位置を光学的に検出しても良い。
【図面の簡単な説明】
【０１０３】
【図１】本発明の実施形態に係る撮像装置１の外観構成を示す図である。
【図２】撮像装置１の外観構成を示す図である。
【図３】撮像装置１の外観構成を示す図である。
【図４】光学ファインダ３１６における情報表示部３１６ｐを説明するための図である。
【図５】撮像装置１の電気的な構成を示すブロック図である。
【図６】撮像装置１におけるタッチパネル３３２の動作を説明するための図である。
【図７】タッチパネル３３２においてアイコンＢ１〜Ｂ５をＬ字状領域Ｅｔ内に配置する理由を説明するための図である。
【図８】タッチパネル３３２においてアイコンＢ１〜Ｂ５をＬ字状領域Ｅｔ内に配置する理由を説明するための図である。
【図９】ガイド部ＣＶの形状を説明するための図である。
【図１０】横姿勢の撮像装置１においてアイコンＢ１を操作する様子を示す図である。
【図１１】横姿勢の撮像装置１においてアイコンＢ４を操作する様子を示す図である。
【図１２】横姿勢の撮像装置１においてアイコンＢ５を操作する様子を示す図である。
【図１３】縦姿勢の撮像装置１においてアイコンＢ４を操作する様子を示す図である。
【図１４】縦姿勢の撮像装置１においてアイコンＢ２を操作する様子を示す図である。
【図１５】アイコンＢ１〜Ｂ５に対するタッチ操作に応答した光学ファインダ３１６の表示動作を説明するための図である。
【図１６】縦姿勢の撮像装置１において右手ＨＤの親指ＦｐでアイコンＢ１を操作する様子を示す図である。
【図１７】縦姿勢の撮像装置１において右手ＨＤの親指ＦｐでアイコンＢ２を操作する様子を示す図である。
【図１８】縦姿勢の撮像装置１において左手ＨＮの親指ＦｐでアイコンＢ１を操作する様子を示す図である。
【図１９】縦姿勢の撮像装置１において左手ＨＮの親指ＦｐでアイコンＢ２を操作する様子を示す図である。
【図２０】アイコンＢ１〜Ｂ５に対するタッチ操作に応答した液晶表示パネルを有した光学ファインダ３１６Ａの表示動作を説明するための図である。
【図２１】アイコンＢ１〜Ｂ５に対するタッチ操作に応答した電子ビューファインダ３１６Ｂの表示動作を説明するための図である。
【図２２】撮像装置１のアイコンＢ１〜Ｂ５に対するタッチ操作に応答した外部モニタ９０での表示動作を説明するための図である。
【符号の説明】
【０１０４】
１  撮像装置
２  交換レンズ
７  縦位置コントロールグリップ
１０  カメラボディ
３３  背面モニタ部
３４  姿勢検知部
６２  メイン制御部
７０、３０３  グリップ部
７２、３０７  シャッターボタン
７３、９２  操作ダイアル
９０  外部モニタ
９１  上面表示パネル
３０６  モード設定ダイアル
３１６、３１６Ａ  光学ファインダ
３１６Ｂ  電子ビューファインダ
３１６ｐ、３１６ｑ  情報表示部
３３１  ＬＣＤ
３３２  タッチパネル
Ｂ１〜Ｂ５  (タッチボタンの)アイコン
Ｂｐ  追尾用ＡＦフレーム
ＣＶ、ＣＶａ〜ＣＶｆ  ガイド部
Ｅｔ  Ｌ字状領域
ＦＣ  顔面
Ｆｐ  親指
ＨＤ  右手
ＨＮ  左手
【図１】
2010134587.tif 000003
【図２】
2010134587.tif 000004
【図３】
2010134587.tif 000005
【図４】
2010134587.tif 000006
【図５】
2010134587.tif 000007
【図６】
2010134587.tif 000008
【図７】
2010134587.tif 000009
【図８】
2010134587.tif 000010
【図９】
2010134587.tif 000011
【図１０】
2010134587.tif 000012
【図１１】
2010134587.tif 000013
【図１２】
2010134587.tif 000014
【図１３】
2010134587.tif 000015
【図１４】
2010134587.tif 000016
【図１５】
2010134587.tif 000017
【図１６】
2010134587.tif 000018
【図１７】
2010134587.tif 000019
【図１８】
2010134587.tif 000020
【図１９】
2010134587.tif 000021
【図２０】
2010134587.tif 000022
【図２１】
2010134587.tif 000023
【図２２】
2010134587.tif 000024